(57)【特許請求の範囲】
【請求項１】
前壁と、同前壁の後面左右側部よりそれぞれ後方へ突出させて形成した左右一対の控え壁とを具備し、各控え壁には上下方向に貫通する単数若しくは複数の鉄筋挿通孔を形成した植栽用擁壁ブロックにおいて、
各控え壁の後端上部より後方へ向けて支持梁を張出し状に延設し、同支持梁の上面に接続用凹部を設けると共に、同接続用凹部は、上段に載置する植栽用擁壁ブロックの鉄筋挿通孔と上下方向に符合すべく形成したことを特徴とする植栽用擁壁ブロック。
【請求項２】
前壁の下端部より後方へ向けて底版を張設したことを特徴とする請求項１記載の植栽用擁壁ブロック。
【請求項３】
前壁の前面下部より前方へ向けて連結梁を張出し状に延設し、同連結梁に鉄筋挿入孔を設けると共に、同鉄筋挿入孔は、下段に位置する植栽用擁壁ブロックの鉄筋挿通孔と上下方向に符合すべく形成したことを特徴とする請求項１又は２記載の植栽用擁壁ブロック。
【請求項４】
擁壁構築現場に基礎ブロックを設置し、同基礎ブロック上に上記請求項１〜３のいずれか１項記載の植栽用擁壁ブロックを階段状に段積みすると共に、上下段の各植栽用擁壁ブロックに形成した鉄筋挿通孔を上下方向に符合させて、両鉄筋挿通孔中に連結鉄筋を挿通し、さらに、モルタル又はコンクリートを打設して、上下段の植栽用擁壁ブロック同士を連結して植栽用擁壁を構築し、
同植栽用擁壁の高さの半分よりやや上方に位置する植栽用擁壁ブロックの鉄筋挿通孔中には、連結鉄筋の上端部に可動継手を嵌合させて配置して、連結鉄筋の上端部が可動継手を介してコンクリート等に連結されないようにしたことを特徴とする植栽用擁壁の構築方法。
【発明の詳細な説明】
【０００１】
【発明の属する技術分野】
本発明は、植栽用擁壁ブロック及び同ブロックを使用した植栽用擁壁の構築方法に関する。
【０００２】
【従来の技術】
従来、植栽用擁壁ブロックの一形態として、前壁と、同前壁の後左右側部よりそれぞれ後方へ突出させて形成した左右一対の控え壁とを具備し、各控え壁には上下方向に貫通する単数若しくは複数の鉄筋挿通孔を形成したものがある。
【０００３】
そして、かかる植栽用擁壁用ブロックにより擁壁を構築する際には、擁壁構築現場に基礎ブロックを設置し、同基礎ブロック上に植栽用擁壁ブロックを段積みすると共に、上下段の各ブロックに形成した鉄筋挿通孔を上下方向に符合させて、両鉄筋挿通孔中に鉄筋を挿通し、さらに、モルタル又はコンクリートを打設して、上下段のブロック同士を強固に連結するようにしている。
【０００４】
この際、各ブロックの前壁と控え壁との間に形成される空間を、植物を植栽するための植栽空間として利用すべく、上方へ段積みする各ブロックを下段の各ブロックよりも地山側へ位置ずれさせて載置することにより、上記植栽空間の上面を大きく開口させるようにしている。
【０００５】
そして、植栽空間内に土砂や砂礫等の植栽土を充填して、同植栽土に植物を植栽するようにしている。
【０００６】
【発明が解決しようとする課題】
ところが、上記した植栽用擁壁ブロックの場合には、上段に載置するブロックを支持するために、下段のブロックの控え壁を後方へ大きく張出し状に形成する必要があり、その分、ブロックの全体重量が増大して、擁壁の構築作業に大型の作業機を使用する必要性が生じて、構築コストが増大するという不具合がある。
【０００７】
また、擁壁構築現場の地山の地質が軟弱な場合、ブロック自体の重量が大きいと、構築した擁壁のもたれ力により地山を破壊する虞れがある。
【０００８】
【課題を解決するための手段】
そこで、本発明では、前壁と、同前壁の後面左右側部よりそれぞれ後方へ突出させて形成した左右一対の控え壁とを具備し、各控え壁には上下方向に貫通する単数若しくは複数の鉄筋挿通孔を形成した植栽用擁壁ブロックにおいて、各控え壁の後端上部より後方へ向けて支持梁を張出し状に延設し、同支持梁の上面に接続用凹部を設けると共に、同接続用凹部は、上段に載置する植栽用擁壁ブロックの鉄筋挿通孔と上下方向に符合すべく形成したことを特徴とする植栽用擁壁ブロックを提供せんとするものである。
【０００９】
また、本発明は、次の構成にも特徴を有する。
【００１０】
▲１▼  前壁の下端部より後方へ向けて底版を張設したこと。
【００１１】
▲２▼  前壁の前面下部より前方へ向けて連結梁を張出し状に延設し、同連結梁に鉄筋挿入孔を設けると共に、同鉄筋挿入孔は、下段に位置する植栽用擁壁ブロックの鉄筋挿通孔と上下方向に符合すべく形成したこと。
【００１３】
また、本発明では、擁壁構築現場に基礎ブロックを設置し、同基礎ブロック上に上記したいずれか一種類の植栽用擁壁ブロックを階段状に段積みすると共に、上下段の各植栽用擁壁ブロックに形成した鉄筋挿通孔を上下方向に符合させて、両鉄筋挿通孔中に連結鉄筋を挿通し、さらに、モルタル又はコンクリートを打設して、上下段の植栽用擁壁ブロック同士を連結して植栽用擁壁を構築し、同植栽用擁壁の高さの半分よりやや上方に位置する植栽用擁壁ブロックの鉄筋挿通孔中には、連結鉄筋の上端部に可動継手を嵌合させて配置して、連結鉄筋の上端部が可動継手を介してコンクリート等に連結されないようにしたことを特徴とする植栽用擁壁の構築方法を提供せんとするものである。
【００１４】
【発明の実施の形態】
以下に、本発明の実施の形態について説明する。
【００１５】
すなわち、本発明に係る植栽用擁壁ブロックは、基本的構造として、前壁と、同前壁の後面左右側部よりそれぞれ後方へ突出させて形成した左右一対の控え壁とを具備し、各控え壁には上下方向に貫通する単数若しくは複数の鉄筋挿通孔を形成している。
【００１６】
そして、本発明に係るブロックは、特徴的構造として、各控え壁の後端上部より後方へ向けて支持梁を張出し状に延設している。
【００１７】
このようにして、植栽用擁壁ブロックを段積みして擁壁を構築する際には、下段のブロックの控え壁の上面と支持梁の上面とにわたって、上段のブロックを載置することにより、下段のブロックの前壁と左右一対の控え壁とにより形成される植栽空間の上面を、大きく開口させることができて、同植栽空間に充填した植栽土の表面積を大きく確保することができ、その結果、多種多様の植物を植栽することができる。
【００１８】
しかも、控え壁の後方への張出し幅を必要最低限におさえることができると共に、初期の目的に適応した断面性能の高い支持梁を形成することができて、ブロック自体の軽量化が図れ、構築作業能率の向上と構築コストの低減化も図れる。
【００１９】
さらに、擁壁構築現場の地山の地質が軟弱な場合にも、構築した擁壁のもたれ力を小さくすることができて、地山の破壊を防止することができる。
【００２０】
また、支持梁を有しているために、上下段に位置する各植栽用擁壁ブロックを前後方向に大きく位置ずれさせることができて、擁壁の築造勾配を緩やかにすることができ、その結果、植栽した際の美感の向上が図れる。
【００２１】
しかも、前壁の下端部より後方へ向けて底版を張設している。
【００２２】
このようにして、底版上に植栽土等を充填・載置することにより、ブロックへの上載荷重を大きくして、地山からの大きな土圧や、護岸用擁壁を構築した場合の河川からの浮力に対向させることができ、擁壁としての機能を良好に確保させることができる。
【００２３】
さらに、前壁の前面下部より前方へ向けて連結梁を張出し状に延設し、同連結梁に鉄筋挿入孔を設けると共に、同鉄筋挿入孔は、下段に位置する植栽用擁壁ブロックの鉄筋挿通孔と上下方向に符合すべく形成している。
【００２４】
このようにして、同連結梁の鉄筋挿入孔と下段のブロックの鉄筋挿通孔とを符合させて、これらの孔に鉄筋を挿入すると共に、モルタル又はコンクリートを打設することにより、上下段のブロック同士を強固に連結することができて、擁壁の強度を良好に確保することができる。
【００２５】
また、支持梁の上面に接続用凹部を設けると共に、同接続用凹部は、上段に載置する植栽用擁壁ブロックの鉄筋挿通孔と上下方向に符合すべく形成している。
【００２６】
このようにして、上段のブロックの鉄筋挿通孔中に挿入した鉄筋接続用凹部内にも挿入することができると共に、鉄筋挿通孔中に打設したコンクリート等を接続用凹部内にも充填することができて、上下段のブロック同士の一体化と、両ブロック間に発生するせん断抵抗の増大化とを図ることができる。その結果、擁壁の剛性を高めることができる。
【００２７】
また、擁壁構築現場に基礎ブロックを設置し、同基礎ブロック上に上記したいずれか一種類の植栽用擁壁ブロックを階段状に段積みすると共に、上下段の各植栽用擁壁ブロックに形成した鉄筋挿通孔を上下方向に符合させて、両鉄筋挿通孔中に連結鉄筋を挿通し、さらに、モルタル又はコンクリートを打設して、上下段の植栽用擁壁ブロック同士を連結して植栽用擁壁を構築し、同植栽用擁壁の高さの半分よりやや上方に位置する植栽用擁壁ブロックの鉄筋挿通孔中には、連結鉄筋の上端部に可動継手を嵌合させて配置して、連結鉄筋の上端部が可動継手を介してコンクリート等に連結されないようにしている。
【００２８】
このようにして、地山の地質が軟弱な場合に、植栽用擁壁が地山側へもたれた際には、植栽用擁壁自体に地山側への曲げモーメントが作用するが、この曲げモーメントの大きさが一定以上になると、可動継手を設けた植栽用擁壁ブロックの前部側が、その下段の植栽用擁壁ブロックより分離して、そのモーメント荷重を遊び（可動）により吸収することができ、その結果、植栽用擁壁全体の崩壊を防止することができる。
【００２９】
【実施例】
以下に、本発明の実施例を、図面を参照しながら説明する。
【００３０】
図１  〜図３  は、本発明に係わる植栽用擁壁ブロックＡにより構築した植栽用擁壁Ｙを示している。Ｂは基礎ブロック、Ｃはモルタル又はコンクリート、Ｄは地山、Ｅは裏込め土、Ｇは土砂や砂礫等の植栽土、Ｔは連結鉄筋、Ｐは植栽した植物である。
【００３１】
植栽用擁壁ブロックＡは、図４  〜図８に示すように、前壁１と、同前壁１の後面左右側部よりそれぞれ後方へ突出させて形成した左右一対の控え壁２，２とを具備し、各控え壁２，２には上下方向に貫通する二個の鉄筋挿通孔３，３，３，３を前後方向に間隔を開けて
形成している。
【００３２】
しかも、各控え壁２，２の後端上部より後方へ向けて支持梁４，４を張出し状に延設して折り、同支持梁４，４の上面後部には、接続用凹部５，５を設けると共に、同接続用凹部５，５は、上段に載置する植栽用擁壁ブロックＡの鉄筋挿通孔３，３と上下方向に符合すべく形成している。
【００３３】
また、各控え壁２の上面後部で、かつ、前後の鉄筋挿通孔３，３の間には、係止用凸部６を突設する一方、前壁１の下端部には、係止用凹部７を形成している。
【００３４】
このようにして、植栽用擁壁ブロックＡ，Ａ同士を上下に段積みする際に、下段の植栽用擁壁ブロックＡの係止用凸部６に、上段の植栽用擁壁ブロックＡの係止用凹部７を係合させると、下段の植栽用擁壁ブロックＡの後側の鉄筋挿通孔３，３に、上段の植栽用擁壁ブロックＡの前側の鉄筋挿通孔３，３が上下方向に符合すると共に、下段の接続用凹部５、５に上段の植栽用擁壁ブロックＡの後側の鉄筋挿通孔３，３が上下方向に符合するようにしている。
【００３５】
次に、上記のように構成した植栽用擁壁ブロックＡを段積みして植栽用擁壁Ｙを構築する作業手順について説明する。
【００３６】
▲１▼  擁壁構築現場に、基礎ブロックＢを敷設し、同基礎ブロックＢ上に一段目の植栽用擁壁ブロックＡを載置する。この際、基礎ブロックＢより延出したアンカー鉄筋８，８を、植栽用擁壁ブロックＡの鉄筋挿通孔３，３中に挿通させる。
【００３７】
▲２▼  一段目の植栽用擁壁ブロックＡの鉄筋挿通孔３，３中にモルタル又はコンクリートＣを打設する。
【００３８】
▲３▼  一段目の植栽用擁壁ブロックＡの植栽空間Ｓ内に土砂や砂礫等の植栽土Ｇを充填する。
【００３９】
▲４▼  一段目の植栽用擁壁ブロックＡ上に、二段目の植栽用擁壁ブロックＡを千鳥状に段積みする。この際、一段目の植栽用擁壁ブロックＡの係止用凸部６に、二段目の植栽用擁壁ブロックＡの係止用凹部７を係合させることにより、一段目の植栽用擁壁ブロックＡの後側の鉄筋挿通孔３，３に、二段目の植栽用擁壁ブロックＡの前側の鉄筋挿通孔３，３を上下方向に符合させると共に、一段目の植栽用擁壁ブロックＡの接続用凹部５、５に二段目の植栽用擁壁ブロックＡの後側の鉄筋挿通孔３，３を上下方向に符合させる。
【００４０】
▲５▼  二段目の植栽用擁壁ブロックＡの前後側の鉄筋挿通孔３，３，３，３中に、連結鉄筋Ｔ，Ｔ，Ｔ，Ｔを挿通すると共に、モルタル又はコンクリートＣを打設する。この際、上記鉄筋挿通孔３，３，３，３と下方に連通する一段目の植栽用擁壁ブロックＡの鉄筋挿通孔３，３中と接続用凹部５，５中にも連結鉄筋Ｔ，Ｔが挿通されると共に、モルタルまたはコンクリートＣが充填される。
【００４１】
▲６▼  二段目の植栽用擁壁ブロックＡの植栽空間Ｓ内に土砂や砂礫等の植栽土Ｇを充填する。
【００４２】
▲７▼  三段目より所望の段数まで、上記▲４▼〜▲６▼までを順次繰り返すことにより、植栽用擁壁Ｙを構築する。
【００４３】
ここで、植栽用擁壁Ｙの高さの半分よりやや上方に位置する植栽用擁壁ブロックＡの鉄筋挿通孔３，３中には、図３に示すように、連結鉄筋Ｔの上端部ｔに緩衝用の可動継手（ライニングシース）１０を嵌合させて配置している。
【００４４】
すなわち、可動継手１０は、筒状本体１０ａと、同筒状本体１０ａの上端に張設した天井壁１０ｂとからキャップ状に形成して、連結鉄筋Ｔの上端部ｔに嵌合可能としている。
【００４５】
そして、鉄筋挿通孔３中にモルタル又はコンクリートＣを打設した際には、連結鉄筋Ｔの上端部ｔが可動継手１０を介してコンクリートＣには連結されないようにして、上下段のブロック同士の連結構造に遊びを持たせている。
【００４６】
このようにして、地山Ｄの地質が軟弱な場合に、植栽用擁壁Ｙが地山Ｄ側へもたれた際には、植栽用擁壁Ｙ自体に地山Ｄ側への曲げモーメントが作用するが、この曲げモーメントの大きさが一定以上になると、可動継手１０を設けた植栽用擁壁ブロックＡの前部側が、その下段の植栽用擁壁ブロックＡより分離してそのモーメント荷重を遊び（可動）により吸収して、植栽用擁壁Ｙ全体の崩壊を防止することができるようにしている。
【００４７】
なお、可動継手１０を設ける位置は、植栽用擁壁Ｙの高さに応じて適宜設定することができ、また、可動継手１０を設ける必要性があるか否かは、地山Ｄの地質の硬度（軟弱性）によって適宜決定することができる。
【００４８】
図９〜図１１は、第二実施例としての植栽用擁壁ブロックＡにより構築した植栽用擁壁Ｙを示している。
【００４９】
そして、かかる植栽用擁壁ブロックＡは、図１２〜図１６に示すように、基本的構造を前記した第一実施例としての植栽用擁壁ブロックＡと同様に構成しているが、前壁１の下端部より後方へ向けて底版１１を張設し、同底版１１の後端を控え壁２，２の後端と一致させている点で異なる。
【００５０】
このようにして、底版１１上に植栽土Ｇ等を充填・載置することにより、植栽用擁壁ブロックＡへの上載荷重を大きくして、地山Ｄからの大きな土圧や、護岸用擁壁を構築した場合の河川からの浮力に対向させることができ、その結果、植栽用擁壁Ｙとしての機能を良好に確保させることができる。
【００５１】
なお、上記した第二実施例としての植栽用擁壁ブロックＡにより植栽用擁壁Ｙを構築する作業手順は、第一実施例の植栽用擁壁Ｙの場合と同様である。
【００５２】
図１７〜図２０は、前記した第二実施例としての植栽用擁壁ブロックＡの変容例としての植栽用擁壁ブロックＡを示している。
【００５３】
そして、かかる植栽用擁壁ブロックＡは、図１７〜図２０に示すように、基本的構造を前記した第二実施例としての植栽用擁壁ブロックＡと同様に構成しているが、底版１１の後端は、控え壁２，２の中途部までとしている点で異なる。
【００５４】
このようにして、底版１１上に植栽土Ｇ等を充填・載置することにより生起させる植栽用擁壁ブロックＡへの上載荷重を、第二実施例としての植栽用擁壁ブロックＡの場合よりも少なくして、地山Ｄの地質が軟弱な場合には、同地山Ｄに大きな上載荷重が作用しないようにして、同地山Ｄが崩壊するのを防止することができるようにしている。その結果、この場合にも植栽用擁壁Ｙとしての機能を良好に確保させることができる。
【００５５】
図２１〜図２３は、第三実施例としての植栽用擁壁ブロックＡにより構築した植栽用擁壁Ｙを示している。
【００５６】
そして、かかる植栽用擁壁ブロックＡは、図２４〜図２８に示すように、基本的構造を前記した第一実施例としての植栽用擁壁ブロックＡと同様に構成しているが、前壁１の前面下端部の左右側部より前方へ向けて左右一対の連結梁１２，１２を張出し状に延設し、同連結梁１２，１２にそれぞれ鉄筋挿入孔１３，１３を設けると共に、各鉄筋挿入孔１３，１３は、下段に位置する植栽用擁壁ブロックＡの鉄筋挿通孔３，３と上下方向に符合すべく形成している。
【００５７】
ここで、各控え壁２には１個の鉄筋挿通孔３を形成しており、同鉄筋挿通孔３の上端に、上段に位置する植栽用擁壁ブロックＡの鉄筋挿入孔１３が符合する一方、鉄筋挿通孔３の下端に、下段に位置するの接続用凹部５が符合するようにしている。
【００５８】
このようにして、各連結梁１２，１２の鉄筋挿入孔１３，１３と下段の植栽用擁壁ブロックＡの鉄筋挿通孔３，３（さらには、その下段の植栽用擁壁ブロックＡの接続用凹部５，５）とを符合させて、これらの孔１３，１３，３，３（５，５）に連結鉄筋Ｔ，Ｔを挿入すると共に、モルタル又はコンクリートＣを打設することにより、上下段のブロックＡ，Ａ同士を強固に連結することができて、植栽用擁壁Ｙの強度を良好に確保することができるようにしている。
【００５９】
そして、上記した第三実施例としての植栽用擁壁ブロックＡにより植栽用擁壁Ｙを構築する作業手順は、第一実施例の植栽用擁壁Ｙの場合と基本的に同様であるが、一段目の植栽用擁壁ブロックＡの鉄筋挿入孔１３，１３中には、基礎ブロックＢより上方へ突出させたアンカー鉄筋８を挿入し、同鉄筋挿入孔１３，１３中にモルタル又はコンクリートＣを打設し、また、下段の植栽用擁壁ブロックＡの前側の鉄筋挿通孔３，３と、上段の植栽用擁壁ブロックＡの鉄筋挿入孔１３，１３を符合させて、これらの孔３，３，１３，１３中に連結鉄筋Ｔ，Ｔを挿通すると共に、モルタル又はコンクリートＣを打設する点において異なる。
【００６０】
また、第三実施例の植栽用擁壁ブロックＡでは、前壁１の上端面よりも控え壁２の上面を下方に位置させて段付き凹状の係止用凹部１４，１４を形成して、各係止用凹部１４，１４に連結梁１２，１２の前端部を係止させることにより、位置決めができるようにしている点においても異なる。
【００６１】
図２９〜図３１は、第四実施例としての植栽用擁壁ブロックＡを示しており、同植栽用擁壁ブロックＡは、基本的構造を前記した第三実施例としての植栽用擁壁ブロックＡと同様に構成しているが、前記した第二実施例としての植栽用擁壁ブロックＡと同様に、前壁１の下端部より後方へ向けて底版１１を張設し、同底版１１の後端を控え壁２，２の後端と一致させている点で異なる。
【００６２】
このようにして、第二実施例の植栽用擁壁ブロックＡと第三実施例の植栽用擁壁ブロックＡとの機能をそれぞれ併せ持つ植栽用擁壁ブロックＡを構成することができて、同植栽用擁壁ブロックＡにより、前記した第三実施例としての植栽用擁壁ブロックＡにより植栽用擁壁Ｙを構築する場合と同様に、植栽用擁壁Ｙを構築することにより、強固な植栽用擁壁Ｙを構築することができて、同植栽用擁壁Ｙにより地山Ｄの保護を充分に行うことができる。
【００６３】
ここで、底版１１は、  地山Ｄの地質に応じて、第二実施例の変容例のように形成することもできる。
【００６４】
また、底版１１は、第二実施例としての植栽用擁壁ブロックＡの変容例のように、前後幅の小さいものを採用することもできる。
【００６５】
【効果】
本発明によれば、次のような効果が得られる。
【００６６】
（１）請求項１記載の本発明では、各控え壁の後端上部より後方へ向けて支持梁を張出し状に延設しているために、植栽用擁壁ブロックを段積みして擁壁を構築する際には、下段のブロックの控え壁の上面と支持梁の上面とにわたって、上段のブロックを載置することにより、下段のブロックの前壁と左右一対の控え壁とにより形成される植栽空間の上面を、大きく開口させることができて、同植栽空間に充填した植栽土の表面積を大きく確保することができ、その結果、多種多様の植物を植栽することができる。
【００６７】
しかも、控え壁の後方への張出し幅を必要最低限におさえることができると共に、初期の目的に適応した断面性能の高い支持梁を形成することができて、ブロック自体の軽量化が図れ、構築作業能率の向上と構築コストの低減化も図れる。
【００６８】
さらに、擁壁構築現場の地山の地質が軟弱な場合にも、構築した擁壁のもたれ力を小さくすることができて、地山の破壊を防止することができる。
【００６９】
また、支持梁を有しているために、上下段に位置する各植栽用擁壁ブロックを前後方向に大きく位置ずれさせることができて、擁壁の築造勾配を緩やかにすることができ、その結果、植栽した際の美感の向上が図れる。
【００７０】
そして、支持梁の上面に接続用凹部を設けると共に、同接続用凹部は、上段に載置する植栽用擁壁ブロックの鉄筋挿通孔と上下方向に符合すべく形成しているために、上段のブロックの鉄筋挿通孔中に挿入した鉄筋を、接続用凹部内にも挿入することができると共に、鉄筋挿通孔中に打設したコンクリート等を接続用凹部内にも充填することができて、上下段のブロック同士の一体化と、両ブロック間に発生するせん断抵抗の増大化とを図ることができる。その結果、擁壁の剛性を高めることができる。
【００７１】
（２）請求項２記載の本発明では、前壁の下端部より後方へ向けて底版を張設しているために、底版上に植栽土等を充填・載置することにより、ブロックへの上載荷重を大きくして、地山からの大きな土圧や、護岸用擁壁を構築した場合の、河川からの浮力に対向させることができ、擁壁としての機能を良好に確保させることができる。
【００７２】
（３）請求項３記載の本発明では、前壁の前面下部より前方へ向けて連結梁を張出し状に延設し、同連結梁に鉄筋挿入孔を設けると共に、同鉄筋挿入孔は、下段に位置する植栽用擁壁ブロックの鉄筋挿通孔と上下方向に符合すべく形成しているために、同連結梁の鉄筋挿入孔と下段のブロックの鉄筋挿通孔とを符合させて、これらの孔に鉄筋を挿入すると共に、モルタル又はコンクリートを打設することにより、上下段のブロック同士を強固に連結することができて、擁壁の強度を良好に確保することができる。
【００７３】
（４）擁壁構築現場に基礎ブロックを設置し、同基礎ブロック上に上記したいずれか一種類の植栽用擁壁ブロックを階段状に段積みすると共に、上下段の各植栽用擁壁ブロックに形成した鉄筋挿通孔を上下方向に符合させて、両鉄筋挿通孔中に連結鉄筋を挿通し、さらに、モルタル又はコンクリートを打設して、上下段の植栽用擁壁ブロック同士を連結して植栽用擁壁を構築し、同植栽用擁壁の高さの半分よりやや上方に位置する植栽用擁壁ブロックの鉄筋挿通孔中には、連結鉄筋の上端部に可動継手を嵌合させて配置して、連結鉄筋の上端部が可動継手を介してコンクリート等に連結されないようにしている。
【００７４】
このようにして、地山の地質が軟弱な場合に、植栽用擁壁が地山側へもたれた際には、植栽用擁壁自体に地山側への曲げモーメントが作用するが、この曲げモーメントの大きさが一定以上になると、可動継手を設けた植栽用擁壁ブロックの前部側が、その下段の植栽用擁壁ブロックより分離して、そのモーメント荷重を遊び（可動）により吸収することができ、その結果、植栽用擁壁全体の崩壊を防止することができる。
【図面の簡単な説明】
【図１】本発明に係わる第一実施例としての植栽用擁壁ブロックにより構築した植栽用擁壁の断面側面図。
【図２】同植栽用擁壁の平面図。
【図３】同植栽用擁壁の部分拡大側面図。
【図４】第一実施例としての植栽用擁壁ブロックの斜視図。
【図５】同植栽用擁壁ブロックの正面図。
【図６】同植栽用擁壁ブロックの平面図。
【図７】同植栽用擁壁ブロックの背面図。
【図８】同植栽用擁壁ブロックの断面側面図。
【図９】本発明に係わる第二実施例としての植栽用擁壁ブロックにより構築した植栽用擁壁の断面側面図。
【図１０】同植栽用擁壁の平面図。
【図１１】同植栽用擁壁の部分拡大側面図。
【図１２】第二実施例としての植栽用擁壁ブロックの斜視図。
【図１３】同植栽用擁壁ブロックの正面図。
【図１４】同植栽用擁壁ブロックの平面図。
【図１５】同植栽用擁壁ブロックの背面図。
【図１６】同植栽用擁壁ブロックの断面側面図。
【図１７】第二実施例としての植栽用擁壁ブロックの変容例の斜視図。
【図１８】同植栽用擁壁ブロックの平面図。
【図１９】同植栽用擁壁ブロックの背面図。
【図２０】同植栽用擁壁ブロックの断面側面図。
【図２１】本発明に係わる第三実施例としての植栽用擁壁ブロックにより構築した植栽用擁壁の断面側面図。
【図２２】同植栽用擁壁の平面図。
【図２３】同植栽用擁壁の部分拡大側面図。
【図２４】第三実施例としての植栽用擁壁ブロックの斜視図。
【図２５】同植栽用擁壁ブロックの正面図。
【図２６】同植栽用擁壁ブロックの平面図。
【図２７】同植栽用擁壁ブロックの背面図。
【図２８】同植栽用擁壁ブロックの断面側面図。
【図２９】本発明に係わる第四実施例としての植栽用擁壁ブロックの平面図。
【図３０】同植栽用擁壁ブロックの背面図。
【図３１】同植栽用擁壁ブロックの断面側面図。
【符号の説明】
Ａ  植栽用擁壁ブロック
Ｙ  植栽用擁壁
１  前壁
２  控え壁
３  鉄筋挿通孔
４  支持梁
５  接続用凹部
６  係止用凸部
７  係止用凹部
８  アンカー鉄筋
【図１】
0003561436.tif 000002
【図２】
0003561436.tif 000003
【図３】
0003561436.tif 000004
【図４】
0003561436.tif 000005
【図５】
0003561436.tif 000006
【図６】
0003561436.tif 000007
【図７】
0003561436.tif 000008
【図８】
0003561436.tif 000009
【図９】
0003561436.tif 000010
【図１０】
0003561436.tif 000011
【図１１】
0003561436.tif 000012
【図１２】
0003561436.tif 000013
【図１３】
0003561436.tif 000014
【図１４】
0003561436.tif 000015
【図１５】
0003561436.tif 000016
【図１６】
0003561436.tif 000017
【図１７】
0003561436.tif 000018
【図１８】
0003561436.tif 000019
【図１９】
0003561436.tif 000020
【図２０】
0003561436.tif 000021
【図２１】
0003561436.tif 000022
【図２２】
0003561436.tif 000023
【図２３】
0003561436.tif 000024
【図２４】
0003561436.tif 000025
【図２５】
0003561436.tif 000026
【図２６】
0003561436.tif 000027
【図２７】
0003561436.tif 000028
【図２８】
0003561436.tif 000029
【図２９】
0003561436.tif 000030
【図３０】
0003561436.tif 000031
【図３１】
0003561436.tif 000032